(57)【要約】【課題】外断熱方式コンクリート壁を低コストで施工可能なセパレータ装置を提供する。【解決手段】コンクリート壁１３の外面に、発泡樹脂製断熱材５に外壁材４を張った積層パネル１が配置されている。セパレータ装置３は、セパレータ軸９と、その端部に設けた断熱部用ストッパー１１とを有している。断熱部用ストッパー１１には、外側から中空ビス２６が挿入されており、中空ビス２６はセパレータ軸９の露出端部９ａにねじ込まれている。フレーム材６，７は、中空ビス２６に外側からねじ込まれた固定ボルト２０によって、外壁材４の外面に固定されている。施工後は、外壁材４や中空ビス２６はタイル２２で覆われる。セパレータ装置の構造は簡単であるため、コストを抑制できる。【選択図】図６
2018017081.tif 000002
【特許請求の範囲】
【請求項１】
コンクリート壁の外側に断熱材と耐火性外壁材とその順序で配置されている建物の施工方法であって、
前記外壁材と断熱材とが接着されている積層パネル、前記コンクリート壁の内面に重なる内型枠、前記積層パネルと内型枠との間隔を規制するセパレータ装置、前記積層パネルと内型枠とを自立姿勢に保持する内外のフレーム材を用意し、
前記セパレータ装置で間隔が規制された積層パネルと内型枠とを内外のフレーム材の群で挟んで、前記フレーム材に貫通して前記セパレータ装置にねじ込まれた内外の固定ボルトを使用してフレーム材を積層パネル及び内型枠に固定することにより、前記積層パネルと内型枠と内外フレーム材とを一体に保持する、
前記積層パネルと内型枠との間の空間にコンクリートを打設する、
コンクリートが固まってから、少なくともフレーム材と固定ボルトを取り外す、
という工程を備えており、
前記セパレータ装置は、前記コンクリート壁を横切る姿勢のセパレータ軸と、前記セパレータ軸の一端に固定されていて前記内型枠に当接する内枠部ストッパーと、前記セパレータ軸の他端に固定された前記断熱部用ストッパーとを有しており、
前記断熱部用ストッパーは、前記断熱材の内部に入り込んで外壁材の側に開口した筒部、前記筒部に設けられていて前記断熱材に内側から当接するフランジとを有しており、前記筒部のうち前記フランジと反対側の先端は前記外壁材に当接又は近接して、前記筒部の内周には前記固定ボルトがねじ込まれる雌ねじを形成しており、
前記コンクリート壁が固まって前記各固定ボルトとフレーム材とを取り外した後に、ビスを前記断熱部用ストッパーの筒部に外側からねじ込んでいる、
外断熱建物の施工方法。
【請求項２】
断熱材の外面に壁材が接着された積層パネルを残存型枠としてコンクリート壁を施工するのに使用されるセパレータ装置であって、
前記コンクリート壁を横切る姿勢のセパレータ軸と、前記セパレータ軸と同心で前記断熱材の取付け穴に内側から挿入された断熱部用ストッパーと、前記セパレータ軸と同心で前記外壁材に外側から挿通された頭付き中空ビスとを有しており、
前記断熱部用ストッパーは、前記断熱材の内面に当接する筒部を有しており、前記筒部の内部に前記中空ビスの軸部が入り込んでいる一方、
前記中空ビスの内周には雌ねじが形成されており、前記セパレータ軸の端部を前記筒部まで至らせてこれに前記中空ビスをねじ込んでいるか、又は、前記筒部の内周に雌ねじを形成してこれに前記中空ビスをねじ込んでおり、いずれにおいても、前記中空ビスに、前記フレーム材を固定するための固定ボルトがねじ込み可能となっている、
コンクリート壁用セパレータ装置。
【請求項３】
断熱材の外面に壁材が接着された積層パネルを残存型枠としてコンクリート壁を施工するのに使用されるセパレータ装置であって、
前記コンクリート壁を横切る姿勢のセパレータ軸と、前記セパレータ軸に取付けられて前記断熱材の内面に当接する断熱部用ストッパーと、前記積層パネルに形成した取付け穴に外側から挿入される中空クランプとを有しており、
前記中空クランプは、前記外壁材に外側から重なる頭を有すると共に、内周には雌ねじが形成されている一方、
前記セパレータ軸は、前記断熱材の取付け穴の中途部まで入り込んだ露出端部を有していて、前記露出端部に前記中空クランプがねじ込まれており、前記中空クランプの雌ねじに、型枠保持用フレームを固定するためのボルトがねじ込み可能となっている、
コンクリート壁用セパレータ装置。
【請求項４】
前記ビス又は中空ビス若しくは中空クランプは、頭の座面を台錘状に形成された皿ビス状である、
請求項１に記載した外断熱建物の施工方法又は請求項２と３とのうちいずれかに記載したコンクリート壁用セパレータ装置。
【請求項５】
前記ビス又は中空ビス若しくは中空クランプは合成樹脂製である、
請求項１〜４のうちのいずれかに記載した外断熱建物の施工方法又はコンクリート壁用セパレータ装置。
【請求項６】
前記断熱材は発泡樹脂製であって、防蟻剤が混入されている、
請求項１〜５のうちのいずれかに記載した外断熱建物の施工方法又はコンクリート壁用セパレータ装置。
【発明の詳細な説明】
【技術分野】
【０００１】
本願発明は、外断熱方式のコンクリート製建物の施工方法及びコンクリート壁用セパレータ装置に関するものである。
【背景技術】
【０００２】
コンクリート製建物の断熱手段は内断熱と外断熱とに大別される。いずれにしても、コンクリート壁の表面に断熱材を配置するものであり、同じ性能の断熱材を使用すると、断熱性能は外断熱が優れているのが一般的である。
【０００３】
また、内断熱にしても外断熱にしても、断熱材を後加工で取り付ける場合と、断熱材が壁材に一体化された積層パネルを型枠に使用して、コンクリートの打設によって積層パネルをコンクリート壁層に一体化させる場合とがあり、後者の例が特許文献１に記載されている。
【０００４】
コンクリート壁の施工においては、一対の型枠の間隔を保持するセパレータ装置が使用されており、特許文献１では、コンクリート層に埋設されるアンカーをセパレータ装置にも兼用できるようにしており、アンカーは、断熱材に設けた取付け穴に内側から嵌まる台座と、台座に内側から挿入された金属製のスリーブナットと、スリーブナットの一部を断熱材からはみ出した状態に保持するスペーサとを有している。
【０００５】
そして、アンカーをセパレータ装置として使用する場合は、スリーブナットの天板部に連結ナットを固定し、この連結ナットにセパレータ軸とフレーム固定用ボルトとをねじ込んでいる。スリーブナットの天板部はコンクリート壁の側に位置しているので、連結ナットもコンクリート壁に埋設されるようになっている。
【０００６】
特許文献１では、コンクリート壁が固まってフレーム及びその固定用ボルトを取り外した後は、締め付けボルトをスリーブナットにねじ込むことにより、積層パネルをコンクリート壁に押さえ保持すると共に、スリーブナットの雌ねじ穴を塞いでいる。
【先行技術文献】
【特許文献】
【０００７】
【特許文献１】特許第３６８９０８９号公報
【発明の概要】
【発明が解決しようとする課題】
【０００８】
特許文献１のように、壁の一部になる積層パネルをコンクリート打設のための型枠に兼用すると、建物に高い断熱性を確保しつつ施工の手間やコストを低減できる利点があるが、特許文献１のセパレータ装置は構造が複雑であり、セパレータ装置自体のコストが嵩むことは避けられないといえる。
【０００９】
また、特許文献１では、セパレータ軸は断熱材まで至っていないため、組み付け加工の精度によっては、セパレータ軸とスリーブナットとが同心にならない場合も想定され、すると、型枠工事が厄介になることも懸念される。
【００１０】
本願発明はこのような現状に鑑み成されたものであり、セパレータ装置の構造の簡単化や高精度化、コンクリート壁の施工の容易性等を図ることを目的とするものである。
【課題を解決するための手段】
【００１１】
本願発明は多彩な構成を有しており、その典型を各請求項で特定している。このうち請求項１の発明は、コンクリート壁の外側に断熱材と耐火性外壁材とその順序で配置されている建物の施工方法であり、
前記外壁材と断熱材とが接着されている積層パネル、前記コンクリート壁の内面に重なる内型枠、前記積層パネルと内型枠との間隔を規制するセパレータ装置、前記積層パネルと内型枠とを自立姿勢に保持する内外のフレーム材を用意し、
前記セパレータ装置で間隔が規制された積層パネルと内型枠とを内外のフレーム材の群で挟んで、前記フレーム材に貫通して前記セパレータ装置にねじ込まれた内外の固定ボルトを使用してフレーム材を積層パネル及び内型枠に固定することにより、前記積層パネルと内型枠と内外フレーム材とを一体に保持する、
前記積層パネルと内型枠との間の空間にコンクリートを打設する、
コンクリートが固まってから、少なくともフレーム材と固定ボルトを取り外す、
という工程を備えている。
【００１２】
そして、請求項１は更に、
「前記セパレータ装置は、前記コンクリート壁を横切る姿勢のセパレータ軸と、前記セパレータ軸の一端に固定されていて前記内型枠に当接する内枠部ストッパーと、前記セパレータ軸の他端に固定された前記断熱部用ストッパーとを有しており、
前記断熱部用ストッパーは、前記断熱材の内部に入り込んで外壁材の側に開口した筒部、前記筒部に設けられていて前記断熱材に内側から当接するフランジとを有しており、前記筒部のうち前記フランジと反対側の先端は前記外壁材に当接又は近接して、前記筒部の内周には前記固定ボルトがねじ込まれる雌ねじを形成しており、
前記コンクリート壁が固まって前記各固定ボルトとフレーム材とを取り外した後に、ビスを前記断熱部用ストッパーの筒部に外側からねじ込んでいる」
という特徴を有している。ビスは中実であるのが好ましい。
【００１３】
請求項２の発明は、断熱材の外面に壁材が接着された積層パネルを残存型枠としてコンクリート壁を施工するのに使用されるセパレータ装置であり、
前記コンクリート壁を横切る姿勢のセパレータ軸と、前記セパレータ軸と同心で前記断熱材の取付け穴に内側から挿入された断熱部用ストッパーと、前記セパレータ軸と同心で前記外壁材に外側から挿通された頭付き中空ビスとを有している。
【００１４】
そして、前記断熱部用ストッパーは、前記断熱材の内面に当接する筒部を有しており、前記筒部の内部に前記中空ビスの軸部が入り込んでいる一方、
前記中空ビスの内周には雌ねじが形成されており、前記セパレータ軸の端部を前記筒部まで至らせてこれに前記中空ビスをねじ込んでいるか、又は、前記筒部の内周に雌ねじを形成してこれに前記中空ビスをねじ込んでおり、いずれにおいても、前記中空ビスに、前記フレーム材を固定するための固定ボルトがねじ込み可能となっている。
【００１５】
請求項３の発明も、断熱材の外面に壁材が接着された積層パネルを残存型枠としてコンクリート壁を施工するのに使用されるセパレータ装置に関するものであり、前記コンクリート壁を横切る姿勢のセパレータ軸と、前記セパレータ軸に取付けられて前記断熱材の内面に当接する断熱部用ストッパーと、前記積層パネルに形成した取付け穴に外側から挿入される中空クランプとを有している。
【００１６】
そして、前記中空クランプは、前記外壁材に外側から重なる頭を有すると共に、内周には雌ねじが形成されている一方、前記セパレータ軸は、前記断熱材の取付け穴の中途部まで入り込んだ露出端部を有していて、前記露出端部に前記中空クランプがねじ込まれており、前記中空クランプの雌ねじに、型枠保持用フレームを固定するためのボルトがねじ込み可能となっている。
【００１７】
請求項４の発明は、請求項１〜３のうちのいずれかにおいて、前記中実ビス又は中空ビス若しくは中空クランプは、頭の座面を台錘状に形成された皿ビス状になっている。請求項５の発明は、請求項１〜４のうちのいずれかにおいて、前記ビス又は中空ビス若しくは中空クランプは合成樹脂製になっている。
【００１８】
請求項６の発明では、請求項１〜５のうちのいずれかにおいて、前記断熱材は発泡樹脂製であって、防蟻剤が混入されている。防蟻剤としては、例えば、チアメトキサム又はその他のネオニコチノイド系薬剤を採用できる。なお、ネオニコチノイド系の他の防蟻剤成分としては、イミダクトプリド、アセタミプリド、クロチアニジン、ジノテフランなどが挙げられる。
【００１９】
ネオニコチノイド系でない他の化学系防蟻剤としては、ピレスロイド系のベルメトリン、トラロメトリン、ビフェントリン、シフェノトリン、プラレトリンが挙げられ、非エステルピレスロイド系のエトフェンブロックス、シラフルオフェン、フェニルピロール系のクロルフェナピル、フェニルピラゾール系のフィプロニル、カーバメイト系としてフェノブカルブなどが挙げられ。天然物系のものも使用できる。
【００２０】
本願発明において、断熱部用ストッパーや中空クランプは、アルミダイキャスト品のような金属製品も使用可能であるが、軽量化やコスト、防錆機能、或いは断熱性の点からは樹脂製とするのが好ましい。外壁材は外面を露出させたままとすることも可能であるが、外面にモルタル等の目地材を介してタイル（耐火化粧材）を張るのが好ましい。外壁材は、コンクリート板や焼成板のように全体が耐火性を備えたものを採用してもよいし、木質系板の外面にモルタル等の耐火層を一体に形成した構造などを採用してもよい。
【００２１】
積層パネルは多段に積み重ねることが多いが、請求項６のように断熱材に防蟻剤を添加した積層パネルは、地面に近い最下段のみに使用したら足りる。
【発明の効果】
【００２２】
請求項１の発明では、セパレータ軸の一端部には断熱部用ストッパーを設けるだけであるため、構造は簡単でコストも抑制できる。また、セパレータ軸は断熱部用ストッパーの筒部内に入り込んでいるため、セパレータ軸と断熱部用ストッパーとの同心精度も高く維持されており、従って、施工に際して積層パネルを所定の位置にセットする作業の手間も抑制できる。
【００２３】
コンクリート壁が固まってフレーム材取付けボルトを取り外した後は、断熱部用ストッパーの筒部に外側からビスをねじ込むことにより、セパレータ軸及び断熱材をコンクリート壁に押さえ保持することができる。従って、施工後に外壁材や断熱材が剥離することはなくて、建物の品質を向上できる。
【００２４】
請求項２の発明では、中空ビスは予めセパレータ軸にねじ込まれてセパレータ装置を構成しているため、現場で中空ビスを取り付ける手間は不要であり、それだけ現場での作業の手間を抑制することができる。また、セパレータ軸と断熱部用ストッパーとは同心に保持されているため、積層パネルをセットする作業の手間も軽減できる。
【００２５】
さて、セパレータ装置の内枠部ストッパーが内型枠に嵌まり込んでいると、位置決め機能が高くて型枠全体としても強固な構造になるが、内枠部ストッパーが内型枠に嵌まり込んでいると、セパレータ装置が内型枠と積層パネルとの両方に対して嵌め込まれるため、型枠工事は厄介であり、現実には殆ど不可能に近いといえる。
【００２６】
これに対して請求項３の発明では、積層パネルを外型枠に構成する場合を例に採ると、先に内型枠を所定位置にセットしてセパレータ軸を取付けておき、次いで、積層パネルをその厚さ方向に移動させて、積層パネルに形成された各取付け穴をセパレータ軸の露出端部に嵌め入れ、次いで、各中空クランプを積層パネルの取付け穴に外側から嵌め込んでセパレータ軸の露出端部にねじ込み、それから、外側のフレーム材を固定ボルトで外壁材に固定するという手順を採ることができる。
【００２７】
そして、積層パネルの取付け穴とセパレータ軸との間には大きな寸法差があるため、積層パネルの多数の取付け穴を多数のセパレータ軸の露出端部に嵌め合わせることを、容易に行える。従って、強固な型枠を容易に構築できる。
【００２８】
請求項４のように、各ビス若しくは中空クランプを皿ビス状に形成すると、それら中実ビス又は中空クランプのねじ込みにより、外壁材に形成された取付け穴がセパレータ軸と同心になるため、積層パネルを正確に位置決めして取り付けることができる。また、請求項５のように、ビス又は中空クランプを合成樹脂で製造すると、樹脂は電熱性が低いため、断熱性能を向上できる利点がある。
【００２９】
請求項６のように断熱材に防蟻機能を持たせると、土中の白蟻が断熱材に蟻道を作って縦物内に入り込むことを防止して、建物を白蟻から守ることができる。
【図面の簡単な説明】
【００３０】
【図１】第１実施形態の施工途中の状態を示す斜視図である。
【図２】（Ａ）（Ｂ）とも図１のII-II 視断面図であり、（Ａ）（Ｂ）は表示範囲をずらしている。
【図３】（Ａ）は内枠体を中心にした箇所の平断面図、（Ｂ）はセパレータ装置の断面図である。
【図４】積層パネルを中心にした平断面図である。
【図５】（Ａ）は施工後の平断面図、（Ｂ）は中空ビスの取付け工程を示す平断面図、（Ｃ）は別例の平断面図である。
【図６】第２実施形態を示す図であり、（Ａ）〜（Ｃ）は施工手順を示す平断面図、（Ｄ）は（Ａ）のＤ−Ｄ視断面図、（Ｅ）は（Ｂ）のＥ−Ｅ視図、（Ｆ）は中空ビスの係合手段の別例図である。
【図７】第３実施形態を示す図であり、（Ａ）は分離平断面図、（Ｂ）は施工状態での要部平断面図である。
【図８】（Ａ）は第３実施形態の施工途中を示す平断面図、（Ｂ）は第３実施形態の別例図である。
【図９】第４実施形態の要部平断面図である。
【発明を実施するための形態】
【００３１】
(1).第１実施形態の構造
次に、本願発明の実施形態を図面に基づいて説明する。まず、図１〜５に示す第１実施形態を説明する。図１は施工途中の型枠の状態を示しており、壁の要素として、外型枠を兼用する積層パネル１と、内型枠を兼用する内壁材２とを備えている。積層パネル１と内壁材２とは、セパレータ装置３によって所定の間隔に保持されている。積層パネル１と内壁材２とは、いずれも縦長の長方形になっている（勿論、横長の長方形や正方形でもよい。）。
【００３２】
積層パネル１は、外側に位置した外壁材４と内側に位置した断熱材５とを接着して構成されており、外壁材４の外面には、縦長フレーム材６の群が重なっており、縦長フレーム材６の群に外側から横長フレーム材７の群が重なっている。内壁材２の内側にも、縦長フレーム材６と横長フレーム材７との群が配置されている。縦長フレーム材６，７はＣ形のチャンネル材を使用しているが、丸パイプや角パイプなども使用できる。
【００３３】
外壁材４は、図４，５に示すように、例えば木材繊維を固めた基材４ａの表面にモルタル層４ｂを塗布した構造であり、耐火性を有している。外壁材４は、窯業系やセメント系の板材、珪酸カルシウム板など耐火性不燃材で構成してもよい。断熱材５は、例えば、発泡ポリスチレンや発泡スチロールなどの発泡樹脂が使用される。勿論、グラスウールのような無機質のものも使用可能である。断熱材５は、外壁材４よりも厚くなっている。
【００３４】
外壁材４は、接着剤で断熱材５に接着することも可能であるが、積層パネル１が発泡樹脂製である場合は、インサート成形によって一体化するのが好ましい。内壁材２は、例えば、珪酸カルシウム板のような不燃材を使用できるし、コンパネのような木質板や、ＡＬＣ板なども使用可能である。
【００３５】
セパレータ装置３は、図３（Ｂ）に独立して表示しているように、水平姿勢のセパレータ軸９と、セパレータ軸９の一端に固定された内枠部ストッパー１０と、セパレータ軸９の他端に固定された断熱部用ストッパー１１とで構成されている。内枠部ストッパー１０は樹脂製であり、セパレータ軸９に固定された金属製の内側ナット筒１２に、インサート成形によって一体に形成されている。セパレータ軸９の一端部は、内側ナット筒１２にかしめ等で回転不能に固定されている。
【００３６】
内枠部ストッパー１０は内枠体２の内面に向けて開口した形態であり、内側ナット筒１２は内枠部ストッパー１０の空所に部分的に露出している。内枠部ストッパー１０には、コンクリート壁１３に対して回転不能に保持する突起を設けているが、図では省略している（他の例も同様である。）。なお、内枠部ストッパー１０は、内側ナット筒１２を無くして全体を単一構造に構成することも可能であるし、アルミダイキャストのような金属製とすることも可能である。
【００３７】
断熱部用ストッパー１１は樹脂の射出形成品であり、セパレータ軸９の他端部に固着された外側ナット筒１４に、インサート成形によって一体成形されている。従って、内枠部ストッパー１０と断熱部用ストッパー１１とは、セパレータ軸９に同時にインサート成形されている。
【００３８】
断熱部用ストッパー１１は、断熱材５に形成した取付け穴１６に嵌まり込む筒部１１ａと、断熱材５に内側から重なるフランジ１１ｂとを有しており、筒部１１ａのうちフランジ１１ｂに寄った部位は小径に形成している（全長に亙って同径でもよい。）。
【００３９】
また、図の実線では、フランジ１１ｂが断熱材５の内面から露出するように設定しているが、例えば図４に一点鎖線で示すように、フランジ１１ｂを断熱材５の内部に埋め込んでもよい。或いは、フランジ１１ｂを設けずに、断熱部用ストッパー１１の全体を全長に亙って同じ外径に形成して、全体を断熱材５の内部に埋設してもよい。この場合でも、断熱部用ストッパー１１は外壁材４に内側から当接していたら、型枠としての機能は確保できる。
【００４０】
実施形態では、外側ナット筒１４は、筒部１１ａのうち外壁材４に寄った部位に偏位して配置しているが、筒部１１ａの略全長に亙って延びる長さであってもよい。断熱部用ストッパー１１にも、コンクリート壁１３に対して回り止めとなる突起（図示せず）を設けている（他の実施形態も同様である。）。また、外側ナット筒１４は、セパレータ軸９の他端部に対してかしめ等で回転不能に固定されている。筒部１１ａの先端は外壁材４の内面に当接している。
【００４１】
外壁材４には、断熱材５の取付け穴１６と同心のボルト挿通穴１７が形成されており、ボルト挿通穴１７には、テーパ状の座繰り穴１８が形成されている。断熱部用ストッパー１１の筒部１１ｂは、当然ながら外壁材４の側に向けて外向きに開口しており、先端が外壁材４の内面に当接するように設定されている。
【００４２】
(2).施工手順
図３，４に示すように、内壁材２の外面には縦長フレーム材６が重なって、縦長フレーム材６に横長フレーム７が外側から重なっており、両フレーム材６，７の交叉部に挿通した内側固定ボルト１８を内枠部ストッパー１０にねじ込んで、内側固定ボルト１８にナット１９をねじ込むことにより、フレーム材６，７を内壁材２に固定している。図では、横長フレーム材７は縦長フレーム６と反対側の外向きに開口させているが、縦長フレーム材６の側に開口させてもよい。
【００４３】
積層パネル１とフレーム材６，７との関係も同様であり、図４に示すように、縦長フレーム６を外壁材４に重ねて、縦長フレーム６に横長フレーム７を外から重ねており、両フレーム材６，７の交叉部に外側固定ボルト２０を挿通して、外側固定ボルト２０を断熱部用ストッパー１１にねじ込んでおり、外側固定ボルト２０にナット２１をねじ込むことにより、積層パネル１とフレーム材６，７とが一体的に固定されている。
【００４４】
内壁材２のセットと積層パネル１のセットとの順序を述べると、まず積層パネル１をセットして、後から内壁材２をセットする。内枠部ストッパー１０は内壁材２には嵌まっていないため、内壁材２を内枠部ストッパー１０の群に重ねた後に、内壁材２を縦横にずらして芯合わせしながら、内側固定ボルト１８を内枠部ストッパー１０にねじ込むことができる。
【００４５】
鉄筋の配置は、積層パネル１をセットする前に行ってもよいし、積層パネル１をセットしてから行ってもよい。セパレータ装置３は、予め積層パネル１に取付けておいてもよいし、積層パネル１を起立状態にセットしてから、鉄筋の配置前又は配置後に取付けてもよい。
【００４６】
このようにして内壁材２と積層パネル１とを起立姿勢に保持してから、両者の間の空間にコンクリート壁１３が打設される。コンクリート壁１３が固まって養生した後に、内外の固定用ボルト１８，２０とフレーム材６，７とが取り外される。その後、図５（Ａ）（Ｂ）に示すように、外壁材４に、皿頭２３ａを有する皿ビス状の中実ビス２３がねじ込まれて、積層パネル１がコンクリート壁１３に押さえ保持される。
【００４７】
それから、例えば建築の概ね最終工事段階において、図５（Ｂ）に一点鎖線で示すように、モルタル等の接着材（目地材）を使用したタイル２９が張られる。これにより、外壁材４も中実ビス２３も完全に覆われる。従って、外観上の問題は生じない。また、外壁材４に木質の基材４ａが使用されていても、法定されている耐火性能も確保することができる。
【００４８】
(3).第２実施形態（図６）
次に、図６に示す第２実施形態を説明する。この実施形態は請求項２を具体化したものであり、内枠部ストッパーは第１実施形態と同じ構造なので、説明は省略する。この実施形態では、第１実施形態の中実ビス２３に代えて、内周に雌ねじが形成された皿ビス状の中空ビス２６を使用している。従って、断熱部用ストッパー１１は、外側に向けてて開口した筒部１１ａを有しており、従って、筒部１１ａの内部は、中空ビス２３が入り込む中空部になっている。
【００４９】
中空ビス２６における頭２６ａの頂面には、ドライバ係合溝２７を形成している。（Ｅ）に示すように、ドライバ係合溝２７は十字状に形成しているが、一文字状であってもよい。また、ドライバ係合手段として、六角穴や四角穴を形成することも可能である。
【００５０】
断熱部用ストッパー１１はセパレータ軸９にインサート成形で一体化されているが、回り止め手段として、（Ｄ）にも示すように、断熱部用ストッパー１１に六角ナット２８を溶接等で回転不能に固定している。回り止め手段としては、断熱部用ストッパー１１の一部を断面小判形に潰し加工して、ヒレ片を形成してもよい。
【００５１】
この実施形態では、セパレータ軸９には、断熱部用ストッパー１１の筒部１１ａの中途部まで至った露出端部９ａを設けており、中空ビス２６を露出端部９ａにねじ込むことにより、中空ビス２６を予め積層パネル１に固定している。中空ビス２６に露出端部９ａを設けずに、断熱部用ストッパー１１の筒部１１ａに雌ねじを形成して、これに中空ビス２６をねじ込むことも可能である（この場合は、当然ながら中空ビス２６の外周には雄ねじが形成されている。）。
【００５２】
この実施形態では、（Ａ）のように、中空ビス２６に外からねじ込んだ外側固定ボルト２０によって外側のフレーム材６，７が固定されており、コンクリート壁１３が固まったら、（Ｂ）に示すようにフレーム材６，７及び外側固定ボルト２０が取り外された、その後に、外壁材４の外面にモルタルを介してタイル２９が貼られる。この際に、（Ｃ）に示すように、中空ビス２６の雌ねじ穴にモルタル３０を詰め込むことができる（中空ビス２６の内部に中空のままであっても支障はない。）。
【００５３】
（Ｆ）では、中空ビス２６における頭２６ａの頂面に、回転操作手段として、４つの係合穴３１を周方向に等間隔で形成している。従って、回転操作するドライバビット（図示せず）には、４つの係合穴３１に嵌まる４つの係合ピンを設けている。
【００５４】
(4).第３実施形態（図７〜８）
次に、図７に示す第３実施形態を説明する。この実施形態では、内枠部ストッパー１０は、内壁材２に形成した取付け穴３２に内部に内側から入り込む筒部１０ａと、内壁材２の内面に重なるフランジ１０ｂとを有しており、内部に内側ナット筒１２が両側に配置されている。セパレータ軸９の一端部は内側ナット筒１２に回転不能に固定されている。
【００５５】
他方、断熱部用ストッパー１１は樹脂製であって、断熱材５の内面に重なるフランジ状に形成されており、セパレータ軸９にインサート成形で回転不能に固定されている。断熱部用ストッパー１１は必ずしも樹脂製である必要はなく、図８（Ｂ）に示すように、セパレータ軸９にフランジとして一体に形成したり、図８（Ｃ）に示すように、セパレータ軸９の露出端部９ａに外側から嵌め込んだ座金３３の形態も採用可能である。つまり、この実施形態では、断熱部用ストッパー１１は、断熱材５に内側から当接する形状であったらよい。座金３３は、セパレータ軸９に一体成形したフランジ３４に対して、接着又は溶接で固定されている。
【００５６】
セパレータ軸９の他端部は、断熱材５の取付け穴１６に大きな遊びを持って嵌まる露出端部９ａになっている一方、積層パネル１には、皿ビス状の中空クランプ３５が外側から嵌め込まれており、中空クランプ３５が、セパレータ軸９の露出端部９ａにねじ込まれている。セパレータ軸９の露出端部９ａは、取付け穴１６の中途部までしか至っていない。従って、中空クランプ３５に外側から外側固定ボルト２０をねじ込んで、外側のフレーム材６，７を外壁材４に固定することができる。
【００５７】
この実施形態では、施工手順としては、まず内壁材２を所定の状態にセットして、各セパレータ装置３は内壁材２に取付けられている。そして、最後に積層パネル１をセットするが、この状態では、中空クランプ３５は取り外されており、図８（Ａ）に示すように、断熱材５は、各取付け穴１６を各セパレータ軸９の露出端部９ａに嵌め込みつつ、仮り配置される。この場合、取付け穴１６の内径とセパレータ軸９の露出端部の外径との差は十分に大きいので、積層パネル１は、多数の取付け穴１６を多数の露出端部９ａに嵌め込んだ状態に、容易に仮り配置できる。
【００５８】
そして、積層パネル１を仮り配置してたら、各取付け穴１６に中空クランプ３５を嵌め入れてセパレータ軸９の露出端部９ａにねじ込むことにより、積層パネル１とセパレータ軸９とを一体化すると共に、積層パネル１を正確に位置決めする。
【００５９】
この実施形態では、内枠部ストッパー１０も内壁材２に嵌入しているため、セパレータ軸９と内壁材２との連結性が高まって、型枠全体として堅牢性が高くなると共に寸法精度も向上できる。また、内枠部ストッパー１０が内壁材２の内側に露出することを防止又は抑制できるため、コンクリートの打設に際して内枠部ストッパー１０の下方に空洞ができることを防止して、コンクリート壁１３にジャンカが発生することを防止できる利点もある。
【００６０】
(4).第４実施形態（図９）
図９に示す第４実施形態は、内枠部ストッパー１０の別例である。この実施形態では、内枠部ストッパー１０は、内壁材２の内面に当接するフランジ状の形態になっており、セパレータ軸９の一端寄り部位に一体に形成されている（別体であってもよい。）。セパレータ軸９は、内壁材２に形成された取付け穴３２に部分的に入り込む露出端部９ｂを有しており、内壁材２の取付け穴３２に外側から挿入した中空クランプ３６が、露出端部９ｂにねじ込まれている。
【００６１】
中空クランプ３６は内壁材２の外側から当接するフランジ３６ａを有しており、従って、中空クランプ３６のねじ込みにより、セパレータ軸９と内壁材２とが一体化される。中空クランプ３６のフランジ３６ａは、内壁材２の外側に突出させてもよいが、実施形態のように内壁材２の内部に入り込ませておくと、内装材の邪魔にならなくて好適である。
【００６２】
この実施形態では、型枠工事においては、先に積層パネル１がセットされて、最後に内壁材２がセットされる。内壁材２のセットは第３実施形態と同様であり、内壁材２を、各取付け穴３２を各セパレータ軸９の露出端部９ｂに嵌め入れた状態で仮り配置し、次いで、各取付け穴３２に中空クランプ３５を嵌め込んでセパレータ軸９にねじ込むことで内壁材２を本配置し、それから、中空クランプ３６に外からねじ込んだ内側固定ボルト１８によって、内側のフレーム材６，７を内壁材２に固定する。
【００６３】
この実施形態は、第１実施形態や第２実施形態と組み合わせて使用すると、型枠全体としての堅牢性を向上できる。第３実施形態と組み合わせて使用すると、内壁材２を先にセットすることと、積層パネル１を先にセットすることとを現場の状況に応じて選択できるため、現場での融通性が高くなる。なお、本実施形態にしても第３実施形態にしても、中空クランプ３５は、ナットに樹脂部をインサートした構造であってもよい。
【００６４】
(5).その他
本願発明は、上記の実施形態の他にも様々に具体化できる。例えば、内型枠は残存方式の内壁材である必要はなく、施工後に取り外しされる方式であってもよい。或いは、外壁を積層パネルで構成することに加えて、又はこれに代えて、残存式の内壁材の内面に断熱材を一体に接着することも可能である。
【００６５】
なお、第３実施形態や第４実施形態の中空クランプを使用することは、断熱材とは離れてそれ自体として独立した請求項たり得る。
【００６６】
積層パネルは断熱パネルの表面に外壁材を積層しているが、外壁材は接着剤で断熱パネルに接着することができる。この場合、外壁材を、表面に凹凸模様が形成された構造として、多数の断熱パネルと外壁材とを交互に重ねて相応の時間を掛けて加圧して接着することができるが、加圧により、積層パネルの裏面に外壁材の表面の模様に対応した凹凸が形成される。
【００６７】
この凹凸の存在により、断熱パネルへのコンクリートの接着性（食いつき）を格段に向上させることができる。また、外壁材の表面に凹凸模様が存在すると、モルタルの接着性も格段に高くなる。このような積層パネルの構造や製法は、それ自体として独立した発明足りうる。
【００６８】
更に、この工法を発展させて、木造建築用縦基礎等に単体で使用されている断熱パネルのような各種の断熱パネルの片面又は両面に、コンクリート又はモルタルの接着性を高めるための凹凸模様を形成できる。すなわち、片面又は両面に模様が形成された型板と断熱パネルとを交互に重ねて、全体を加圧することにより、転写のようにして模様が型押しされた断熱パネルを同時に多数製造できる（多数枚を重ねずに、１セットずつ重ねて製造することも可能である。）。
【００６９】
このように加圧によって凹凸模様を形成すると、模様をエッジが立った状態に形成できると共に、細かい粗雑面も容易に形成できるため、コンクリートやモルタルの接着性を格段に向上できる。また、加圧による加工硬化によって断熱パネルの表面が硬くなるため、断熱パネルの強度アップにも貢献できる。コンクリート及びモルタルの接着性向上の点からは、粗雑面にリブ状や溝が形成されたものが好適と推測される。
【００７０】
例えば基礎断熱用の断熱パネルの場合、モルタルの付着性を高めるために表面に金網をタッカー等で固定することが行われているが、上記のような型押し方式で凹凸模様を形成すると、金網なしでも高い接着性を確保することが可能になる。外壁材の模様を断熱パネルに転写形成すると、特別の型板は不要になるため、コスト面で有利である。
【産業上の利用可能性】
【００７１】
本願発明は、実際に具体化できる。従って、産業上利用できる。
【符号の説明】
【００７２】
１          積層パネル
２          内型枠としての内壁材
３          セパレータ装置
４          外壁材
５          断熱材
６，７      フレーム材
９          セパレータ軸
９ａ，９ｂ  露出端部
１１          断熱部用ストッパー
１１ａ        筒部
１１ｂ        フランジ
１３          コンクリート壁
１６          断熱材の取付け穴
１７          外壁材に形成したボルト挿通穴
１７ａ        座繰り穴
１８          内側固定ボルト
２０          外側固定ボルト
２２          タイル
２３          中実ビス
２６          中空ビス
３４          積層パネル用の中空クランプ
３５          内壁材用の中空クランプ
【図１】
2018017081.tif 000003
【図２】
2018017081.tif 000004
【図３】
2018017081.tif 000005
【図４】
2018017081.tif 000006
【図５】
2018017081.tif 000007
【図６】
2018017081.tif 000008
【図７】
2018017081.tif 000009
【図８】
2018017081.tif 000010
【図９】
2018017081.tif 000011